(57)【要約】      （修正有）【課題】血液循環を促進でき、ユーザが全身のリラックス感を味わうことができる爪式マッサージ装置を提供する。【解決手段】駆動機構と、伝達機構と、ベース部４００と、複数のマッサージ機構５００と、を備え、駆動機構は、伝達機構の回転を駆動でき、伝達機構には移動レールが設けられる。伝達機構は、ベース部に回転可能に接続され、複数のマッサージ機構は、ベース部により支持され、各マッサージ機構は、接続部及びマッサージ用爪を備える。各マッサージ機構の接続部は、移動レールに移動可能に接続され、マッサージ用爪は、ベース部の外側に位置している。駆動機構は、移動レールを回転させ、移動レールが回転する時、各接続部を揺動されることにより、各マッサージ用爪が第１の限界位置と第２の限界位置との間で移動し、各マッサージ用爪は、第１の限界位置に位置する場合に互いに近接し、第２の限界位置に位置する場合に互いに離隔する構成とする。【選択図】図６
2019111325.tif 000002
【特許請求の範囲】
【請求項１】
駆動機構と、
駆動機構の駆動により回転可能であり、移動レールが設けられている伝達機構と、
伝達機構に回転可能に接続されているベース部と、
ベース部により支持され、接続部及びマッサージ用爪を含む複数のマッサージ機構と、を備え、
各マッサージ機構の接続部は、移動レールに移動可能に接続され、マッサージ用爪は、前記ベース部の外側に位置し、
駆動機構は、移動レールを回転させ、
移動レールが回転する時、各接続部が揺動されることにより、各マッサージ用爪を第１の限界位置と第２の限界位置との間で移動させ、
各マッサージ用爪は、第１の限界位置に位置する場合に互いに近接し、第２の限界位置に位置する場合に互いに離隔する爪式マッサージ装置。
【請求項２】
駆動機構は、インペラ及び上蓋を備え、
インペラは、ホイール本体と、ホイール本体上に設けられるベーンと、を備え、
ホイール本体は、伝達機構に伝達接続され、
上蓋は、インペラを囲むように設けられ、
上蓋には、インペラに連通する入水孔が開設され、
水は、入水孔を介してインペラに入り込み、ベーンを衝撃することによってインペラを回転させ、これにより伝達機構を回転させる請求項１に記載の爪式マッサージ装置。
【請求項３】
伝達機構は、レールディスクを備え、
駆動機構は、レールディスクを回転可能に駆動させ、
レールディスクにより移動するレールが規制される請求項２に記載の爪式マッサージ装置。
【請求項４】
インペラは、ガイドポストをさらに備え、
ガイドポスト及びベーンは、それぞれホイール本体の対向する両側に設けられ、
伝達機構は、ギア及びリングギアをさらに備え、
ギアには、ガイドポストを挿設するための貫通された軸孔が設けられ、
ギアは、リングギアの内歯と噛み合われ、
レールディスクの一側には、リングギアが固定され、レールディスクの他側には、移動レールが凹設され、
ガイドポストは、インペラが回転する時、ギア及びギアと噛み合われているリングギアを回転させることによって、移動レールを回転させる請求項３に記載の爪式マッサージ装置。
【請求項５】
ガイドポスト及びギアの数は、いずれも２つであり、
ガイドポストは、径方向においてホイール本体に設けられ、
インペラは、中心軸回りに回転する請求項４に記載の爪式マッサージ装置。
【請求項６】
前記移動レールは、一つのラインが１つの円心回りに連続的に回転して形成される閉じられたレールであり、
前記円心は、移動レールの中心であり、
移動レールには、第１の位置及び第２の位置が存在し、
第１の位置と移動レールの中心との間の距離が最大距離であって、第２の位置と移動レールの中心との間の距離が最小距離であり、
マッサージ用爪は、移動レールが移動レールの第１の位置と各接続部とが対応されるまで回転した場合、第１の限界位置に位置し、移動レールが移動レールの第２の位置と各接続部とが対応されるまで回転した場合、第２の限界位置に位置する請求項３に記載の爪式マッサージ装置。
【請求項７】
ラインは、直線又は曲線であり、
第１の位置及び第２の位置は、その数が同一であり、且つ離隔して複数設けられ、
マッサージ機構、第１の位置及び第２の位置は、その数が同一であり、且つ、均一に分布され、
各マッサージ機構のマッサージ用爪は、同時に第１の限界位置又は第２の限界位置に位置する請求項６に記載の爪式マッサージ装置。
【請求項８】
第１の位置及び第２の位置の数は、２以上の偶数である請求項７に記載の爪式マッサージ装置。
【請求項９】
第１の位置及び第２の位置の数は、３以上の奇数である請求項７に記載の爪式マッサージ装置。
【請求項１０】
移動レールは、中心対称な形状を有し、且つ、その角部は円滑に移動するように形成されている請求項７に記載の爪式マッサージ装置。
【請求項１１】
マッサージ機構の接続部は、接続本体及び第１の接続ポストを備え、
第１の接続ポストは、軸線に沿って接続本体の頂部に凸設され、移動レール内に収容可能であり、
マッサージ用爪は、接続スリーブ及び爪体を備え、
接続スリーブは、爪体の上端に固定されて、接続本体が嵌着され、
爪体は、ベース部の外部に位置する請求項６に記載の爪式マッサージ装置。
【請求項１２】
接続部は、第２の接続ポストをさらに備え、
第２の接続ポストは、径方向において接続本体の外周に凸設され、
ベース部は、底板と、底板の外周に接続される凸リングと、を備え、
ベース部には、複数の貫通孔が貫通して開設され、
各貫通孔の付近には、ピット及び１対のストッパが設けられ、
ピットは、当該１対のストッパの間に位置し、接続本体は、貫通孔に可動に挿通され、
第２の接続ポストは、ピットに回動可能に架設され、
各接続部は、第１の接続ポストが移動レールのエッジにより移動する時、各マッサージ用爪が互いに近接又は離隔するように、第２の接続ポスト回りに同期に揺動し、
マッサージ用爪は、第１の接続ポストが第１の位置に位置する場合に第１の限界位置に位置し、第１の接続ポストが第２の位置に位置する場合に第２の限界位置に位置する請求項１１に記載の爪式マッサージ装置。
【請求項１３】
接続本体の外周の断面は、円形をなし、
貫通孔は、長孔であり、且つ底板の外周に近接する請求項１２に記載の爪式マッサージ装置。
【請求項１４】
ホイール本体の隣接する二つのベーンの間には、それぞれ１つの第１の出水口が設けられ、
リングギアとレールディスクは、一体成形され、
レールディスクには、その中心と移動レールとの間に第２の出水口が貫通して設けられ、
ベース部には、第３の出水口が貫通して設けられ、
水は、入水孔を介して第１の出水口、第２の出水口及び第３の出水口の順に入り込み、爪式マッサージ装置から流出される請求項４に記載の爪式マッサージ装置。
【請求項１５】
爪式マッサージ装置は、蓋体及びシリンダを含む孔蓋をさらに備え、
シリンダは、蓋体の裏側の中央に設けられ、
インペラのホイール本体の中心には、軸孔が貫通して設けられ、
上蓋の内縁には、リブを設けられ、
レールディスクの中心には、中空の接続スリーブが設けられ、
ベース部本体の底板の中心には、爪式マッサージ装置の内部に向いて凸設された接続ポストが設けられ、
インペラは、リブ上に支持され、シリンダは、インペラの軸孔を貫通し、蓋体は、上蓋の頂部に係合して設けられ、
接続ポストは、接続スリーブに挿設される請求項１２に記載の爪式マッサージ装置。
【請求項１６】
レールディスクの接続スリーブの一側の外周には、凹んでいる第１の段差部が設けられ、第１の段差部の内周は、径方向においてシリンダの端部に対して位置規制を行い、
底板の接続ポストの一側の外周には、第２の段差部が設けられ、第２の段差部の内周は、径方向において接続スリーブの端部に対して位置規制を行う請求項１２に記載の爪式マッサージ装置。
【請求項１７】
レールディスクの外周は、前記移動レールを形成し、
マッサージ機構の接続部は、接続本体及び軸線に沿って接続本体の頂部に凸設される第１の接続ポストを備え、
マッサージ用爪は、接続スリーブ及び爪体を備え、
接続スリーブは、爪体の上端に固定され、接続本体が嵌着され、爪体は、ベース部の外側に位置し、
第１の接続ポストの外周は、レールディスクの外周に密着され、
第１の接続ポストは、レールディスクが回転する時、移動レールのエッジにより移動されることによって、各マッサージ用爪が互いに近接又は離隔するように、各接続部を同期に揺動させる請求項３に記載の爪式マッサージ装置。
【請求項１８】
ベース部の内周に設けられ、各第１の接続ポストに当接する引っ張りバネをさらに備え、
第１の接続ポストは、移動レールの回転につれて、徐々に第１の位置に近接し、徐々に弾性部材を圧縮させ、
引っ張りバネは、各第１の接続ポストが第１の位置に位置する場合さらに圧縮され、各第１の接続ポストに対して移動レールの中心に向く弾性復元力を蓄積する請求項１７に記載の爪式マッサージ装置。
【発明の詳細な説明】
【技術分野】
【０００１】
本発明は、爪式マッサージ装置に関する。
【背景技術】
【０００２】
現在、各種のマッサージ器が市場に出回っており、これは、人体に触れることによって全身又は部分的にマッサージするためのものである。今のマッサージ器は、主に駆動機構及びマッサージ機構を備えており、駆動機構は、例えばバッテリ又は外部電源であり、マッサージ機構は、例えばマッサージ用爪である。駆動機構によりマッサージ機構の回転を駆動させるとともに、マッサージ機構を人体に触らせることによって、マッサージ機構の回転を利用して人体に対するマッサージを実現する。
しかしながら、上記の従来のマッサージ器は、人体の表面でのみ押圧でき、且つ、マッサージの動作が硬いので、血液循環を促進する効果を奏することができず、その快適感も人の手のようなつかみもみマッサージの効果にはるかに及ばないので、ユーザは全身のリラックス感を味わうことができない。
したがって、如何に従来のマッサージ器のマッサージの快適感を向上するかが、該当技術分野において急いで解決しなければならないという技術課題となっている。
【発明の概要】
【発明が解決しようとする課題】
【０００３】
本発明は、上記の問題点に鑑み、マッサージの快適感を向上するための爪式マッサージ装置を提供することを目的とする。
【課題を解決するための手段】
【０００４】
上記の目的を達成するために、本発明は、爪式マッサージ装置を提供する。前記爪式マッサージ装置は、駆動機構と、伝達機構と、ベース部と、複数のマッサージ機構と、を備える。
【０００５】
駆動機構は、伝達機構の回転を駆動でき、伝達機構には移動レールが設けられる。伝達機構は、ベース部に回転可能に接続されている。複数のマッサージ機構は、ベース部により支持され、マッサージ機構のそれぞれは、接続部及びマッサージ用爪を備える。各マッサージ機構の接続部は、移動レールに移動可能に接続され、マッサージ用爪は、ベース部の外側に位置している。
【０００６】
ここで、駆動機構は、移動レールを回転させることができ、移動レールが回転する時、各接続部を揺動されることにより、各マッサージ用爪が第１の限界位置と第２の限界位置との間で移動させることができる。各マッサージ用爪は、第１の限界位置に位置する場合に互いに近接し、第２の限界位置に位置する場合に互いに離隔する。
【発明の効果】
【０００７】
本発明は、従来技術に比べると、以下のような有利な効果がある。
本発明の爪式マッサージ装置は、各マッサージ爪が同時に内側又は外側に移動するように、移動レールの回転によってマッサージ機構を揺動させ、最終的につかみ動作を実現させることができる。本発明の爪式マッサージ装置は、従来の回転式マッサージに比べると、人の手のようなつかみもみマッサージの効果をシミュレートすることができるので、マッサージの力が好適であり、血液循環を促進でき、ユーザが全身のリラックス感を味わうことができる。
【図面の簡単な説明】
【０００８】
【図１】本発明の第１の実施例に係る爪式マッサージ装置の斜視図である。
【図２】本発明の第１の実施例に係る爪式マッサージ装置の分解斜視図である。
【図３】本発明の第１の実施例に係る爪式マッサージ装置の底面図である。
【図４】本発明の第１の実施例に係る爪式マッサージ装置の断面図である。
【図５】本発明の第１の実施例に係る爪式マッサージ装置のベース部の斜視図である。
【図６】本発明の第１の実施例に係る爪式マッサージ装置の断面図であって、マッサージ用爪の２つの限界位置をそれぞれ実線及び破線で示している。
【図７ａ】本発明の第１の実施例に係る爪式マッサージ装置の断面図であって、マッサージ用爪が第１の限界位置に位置する状態を示している。
【図７ｂ】本発明の第１の実施例に係る爪式マッサージ装置の底面図であって、マッサージ用爪が第１の限界位置に位置する状態を示している。
【図８ａ】本発明の第１の実施例に係る爪式マッサージ装置の断面図であって、マッサージ爪が第２の限界位置に位置する状態を示している。
【図８ｂ】本発明の第１の実施例に係る爪式マッサージ装置の底面図であって、マッサージ爪が第２の限界位置に位置する状態を示している。
【図９】本発明の第１の実施例に係る爪式マッサージ装置のレールディスクの別の実施例の斜視図である。
【図１０】本発明の第１の実施例に係る爪式マッサージ装置のレールディスクの別の実施例の上面図である。
【図１１】本発明の第１の実施例に係る爪式マッサージ装置のレールディスクのさらに別の実施例の斜視図である。
【図１２】本発明の第１の実施例に係る爪式マッサージ装置のレールディスクのさらに別の実施例の上面図である。
【図１３】本発明の第２の実施例に係る爪式マッサージ装置の部分上面図である。
【発明を実施するための形態】
【０００９】
以下、図面を参照しながら例示的な実施形態を更に詳しく説明する。但し、例示的な実施形態は様々な形態で実施されることができ、且つ、ここで記述する実施形態に限定されるものではないと理解されるべきである。逆に、これらの実施形態を提供するのは、本発明をさらに十分で完全に公開するためであり、また、当業者に本発明の例示的な実施形態の旨を十分に伝えるためである。図面において、明確にするために、領域及び層の厚さが拡大して示す場合がある。図面において、同一又は類似の構成に同一の符号を付し、その詳細な説明は省略する。
【００１０】
また、記述する特徴、構成又は特性は、１つ又は複数の実施例において任意の適切な方法で組み合わせることができる。以下の説明において、多数の具体的な詳細を提供することで、本発明の実施例に対する十分な理解を与える。但し、当業者にとって、前記特定の詳細部分のうち１つ又は複数がなくても、或いは、その他の方法、構成要素、材料等を使用することで、本発明の技術手段を実践できることを理解されるべきである。その他の場合では、本発明の主要な技術的思想を不明瞭にさせることを避けるため、周知の構成、材料又は動作は詳細に図示又は説明しない。
【００１１】
本発明に係る爪式マッサージ装置は、図１〜図４に示すように、駆動機構１００と、伝達機構２００と、ベース部４００と、複数のマッサージ機構５００と、を備える。
駆動機構１００は、伝達機構２００を回転可能に駆動させることができる。伝達機構２００には、移動レール３００が設けられている。伝達機構２００は、ベース部４００に回転可能に接続される。複数のマッサージ機構５００は、ベース部４００により支持される。各マッサージ機構５００は、接続部５１０及びマッサージ用爪５２０を備える。各マッサージ機構５００における接続部５１０は、移動レール３００に移動可能に接続され、マッサージ用爪５２０は、ベース部４００の外側に位置する。
【００１２】
ここで、図６を併せて参照すると、移動レール３００が回転する時、各接続部５１０を揺動させることができ、これにより各マッサージ爪５２０を第１の限界位置と第２の限界位置との間で移動させることができる。図６において実線で示されるように、各マッサージ用爪５２０は、第１の限界位置に位置する場合に互いに近接する。図６において破線で示されるように、マッサージ爪５２０同士は、第２の限界位置に位置する場合に互いに離隔する。したがって、各マッサージ爪５２０の互いに近接、離隔することにより揺動される動作は、マッサージ用爪５２０のつかみもみ動作である。
【００１３】
したがって、本発明の爪式マッサージ装置は、移動レール３００の回転によってマッサージ機構５００を揺動させることで、各マッサージ爪５２０を同時に内側又は外側に移動させ、最終的につかみもみ動作を実現する。本発明の爪式マッサージ装置は、従来の回転式マッサージに比べると、人の手のようなつかみもみマッサージの効果をシミュレートすることができるので、マッサージの力が好適であり、血液循環を促進でき、ユーザが全身のリラックス感を味わうことができる。
【００１４】
以下、２つの実施例に通じて本発明の爪式マッサージ装置の具体的な構成について詳細に説明する。
＜第１の実施例＞
本実施例において、駆動機構１００は、インペラ１１０の形であり、水力でインペラ１１０を回転させることによって、伝達機構２００の回転を駆動する。
具体的に、駆動機構１００は、図２及び図４に示すように、インペラ１１０及び上蓋１２０を備えている。インペラ１１０は、ホイール本体１１１と、ホイール本体１１１上に設けられるベーン１１２とを備え、ホイール本体１１１は伝達機構２００に伝達接続される。上蓋１２０は、インペラ１１０を囲むように設置されている。上蓋１２０には、インペラ１１０に連通する入水孔１２１が開設されている。
【００１５】
爪式マッサージ装置が運転する時、駆動機構１００は、例えば、水栓やシャワーヘッドスイッチのような給水弁に接続可能であり、給水弁をオンすると、圧力を有する水は、入水孔１２１を介してインペラ１１０に入り込み、ベーン１１２を衝撃することによって、インペラ１１０を回転させることができ、これにより伝達機構２００を回転させる。
本実施例において、インペラ１１０は、ガイドポスト１１３をさらに備えることができる。ガイドポスト１１３及びベーン１１２は、それぞれホイール本体１１１の対向する両側に設けられる。伝達機構２００は、ギア２１０と、リングギア２２０と、レールディスク２３０と、を備える。ギア２１０には、ガイドポスト１１３を挿設させるための貫通された軸孔２１１が設けられている。ギア２１０は、リングギア２２０の内歯と噛み合われることができる。リングギア２２０は、レールディスク２３０の一側に固定されている。リングギア２２０及びレールディスク２３０は、例えば一体に成形されている。移動レール３００は、レールディスク２３０の他側に凹設される。
【００１６】
したがって、インペラ１１０、ギア２１０及びリングギア２２０は、遊星減速歯車を構成する。インペラ１１０は、水流の衝撃によって高速回転を開始し、ギア２１０内に挿設されたガイドポスト１１３がギア２１０を回転させる。回転するギア２１０は、ギア２１０と噛み合っているリングギア２２０を相対的に低い速度で回転させるように、遊星減速歯車により減速される。移動レール３００は、リングギア２２０と同期に回転する。
本実施例において、図２に示すように、ガイドポスト１１３及びギア２１０の数はいずれも２つである。ガイドポスト１１３は、径方向においてホイール本体１１１に設けられ、インペラ１１０は、中心軸回りに回転する。ガイドポスト１１３及びギア２１０の数及び配置位置は、３つであっても良いが、これに限定されるものではない。
【００１７】
以下、移動レール３００の形態及び動作原理について詳細に説明する。
【００１８】
移動レール３００は、１つのライン上で１つの円心回りに連続的に回転して形成される閉じられたレールとして規制されることができるものであり、前記円心は、移動レールの中心であり、ラインは、直線又は曲線であってもよく、規則又は不規則な線であってもよい。
【００１９】
本実施例において、移動レール３００は、図７Ａ〜図８Ｂに示すように、凹凸円弧の曲線に囲まれた四角形の環状の構成を有し、且つ、移動レール３００の角部は各マッサージ機構５００が円滑に移動できるように形成されている。移動レール３００には、第１の位置Ｐ１及び第２の位置Ｐ２が存在している。第１の位置Ｐ１と移動レール３００の中心との間の距離が最大距離であり、第２の位置Ｐ２と移動レール３００の中心との間の距離が最小距離である。第１の位置Ｐ１及び第２の位置Ｐ２は、その数が同一であり、且つ離隔して複数設けられる。本実施例において、第１の位置Ｐ１は、正方形の４つの角部の箇所に位置し、第２の位置Ｐ２は、正方形の４辺の中間の箇所に位置している。
【００２０】
移動レール３００が移動レール３００の第１の位置Ｐ１と各接続部５１０とが対応されるまで回転した場合、図７Ａ及び図７Ｂに示すように、移動レール３００の内壁が各接続部５１０の頂部を押し当てることによって、マッサージ用爪５２０を内側に揺動させることで、各マッサージ用爪５２０が第１の限界位置に位置し、これにより、爪式マッサージ装置はつかみもみ状態になる。
【００２１】
移動レール３００が移動レール３００の第２の位置Ｐ２と各接続部５１０とが対応されるまで回転した場合、図８Ａ及び図８Ｂに示すように、移動レール３００の内壁が各接続部５１０の頂部を押し当てることによって、マッサージ用爪５２０を外側に揺動させ、各マッサージ用爪５２０が第２の限界位置に位置し、これにより、爪式マッサージ装置は開いた状態になる。
【００２２】
移動レール３００が回転する時、各マッサージ用爪５２０は第１の限界位置と第２の限界位置との間で交互に揺動することによって、連続なつかみもみマッサージの動作を完成する。
【００２３】
本実施例において、第１の位置Ｐ１及び第２の位置Ｐ２は、その数がいずれも４つであり、マッサージ機構５００、第１の位置Ｐ１及び第２の位置Ｐ２は、その数が同一であり、且つ、均一に分布されている。各マッサージ機構５００のマッサージ用爪５２０は、同時に第１の限界位置又は第２の限界位置に位置することができる。移動レール３００が反時計回りに回転すると、各マッサージ用爪５２０は４５度ずつ回転するたびにつかみもみ状態に変換される。
【００２４】
移動レール３００は、正方形の環状に構成されているが、これに限定されず、他の正多角形の環状に構成されてもよいことが理解されるべきである。例えば、移動レール３００は、図９及び図１０に示すように、略梅花形の形状を有しても良い。第１の位置Ｐ１は、移動レール３００の４つの頂角に位置し、第２の位置Ｐ２は、移動レール３００の隣接する二つの頂角の間の中間点に位置する。
【００２５】
或いは、移動レール３００の第１の位置Ｐ１及び第２の位置Ｐ２の数は、例えば図１１及び図１２に示すように、いずれも３つである。第１の位置Ｐ１は、移動レール３００の３つの頂角に位置し、第２の位置Ｐ２は、移動レール３００の隣接する二つの頂角の間の中間点に位置する。
【００２６】
第１の位置Ｐ１及び第２の位置Ｐ２の数はこれに限定されず、第１の位置Ｐ１及び第２の位置Ｐ２の数が偶数であり、且つ２以上であってもよく、或いは、第１の位置Ｐ１及び第２の位置Ｐ２の数が奇数であり、且つ３以上であってもよいことが理解されるべきである。マッサージ機構５００の数は、第１の位置Ｐ１及び第２の位置Ｐ２の数と同じ又は異なっていてもよい。例えば、第１の位置Ｐ１及び第２の位置Ｐ２はいずれも４つであり、マッサージ機構５００の数は２つ、３つ又は４つであってもよい。必要によって、数を適切に増加又は減少することで、適応される配置位置を選択することができ、且つ、様々な数の変更及び配置位置の変形はいずれも本発明の範囲内に含まれる。
【００２７】
本実施例において、マッサージ機構５００の接続部５１０は、図２に示すように、接続本体５１１及び第１の接続ポスト５１２を備える。第１の接続ポスト５１２は、軸線に沿って接続本体５１１の頂部に凸設され、移動レール３００内に収容されることができる。
マッサージ用爪５２０は、接続スリーブ５２１及び爪体５２２を備える。接続スリーブ５２１は爪体５２２の上端に固定され、接続本体５１１が嵌着される。爪体５２２は、ベース部４００の外側に位置している。接続スリーブ５２１は、シリカゲルのような可撓性材料で製作されてもよい。接続本体５１１の下端には、フランジを有し、当該フランジは接続スリーブ５２１内に嵌合されることができる。爪体５２２は、接続スリーブ５２１が押圧されることによって若干動かされることができ、これにより、マッサージの快適感をさらに向上できる。接続部５１０及びマッサージ爪５２０、前記のような構成に限定されるものではなく、両者は一体化にされてもよいことが理解されるべきである。両者の接続を実現できる任意の機械的接続方法は、いずれも本発明に適用される。
【００２８】
本実施例において、接続部５１０は、図２及び図５に示すように、第２の接続ポスト５１３をさらに備えることができる。第２の接続ポスト５１３は、径方向において接続本体５１１の外周に凸設される。ベース部４００は、底板４１０と、底板４１０の外周に接続されている凸リング４２０と、を備える。凸リング４２０には、シャワーヘッドのような他の装置に接続するための複数の接続バックルが設けらることができる。
【００２９】
ベース部４００には、複数の貫通孔４３０が貫通して開設されている。各貫通孔４３０の付近には、ピット４４０及び１対のストッパ４５０が設けられている。ピット４４０は、当該１対のストッパ４５０の間に位置し、接続本体５１１は、貫通孔４３０に可動に挿通され、第２の接続ポスト５１３は、ピット４４０に回動可能に架設されている。各接続部５１０は、第１の接続ポスト５１２が移動レール３００のエッジにより移動する時、各マッサージ用爪５２０が互いに近接又は離隔するように、第２の接続ポスト５１３回りに同期に揺動する。マッサージ用爪５２０は、第１の接続ポスト５１２が第１の位置Ｐ１に位置する場合に第１の限界位置に位置する。マッサージ用爪５２０は、第１の接続ポスト５１２が第２の位置Ｐ２に位置する場合に第２の限界位置に位置する。
【００３０】
したがって、第２の接続ポスト５１３がピット４４０により安定に支持されることによって、第２の接続ポスト５１３の位置は、ピット４４０の両側の１対のストッパ４５０により規制され、これにより、接続部５１０の安定で正確な揺動を確保することができる。
本実施例において、接続本体５１１の外周の断面は、円形をなしてもよく、貫通孔４３０は、長孔であり、且つ底板４１０の外周に近接している。したがって、略円筒状の接続本体５１１は、貫通孔４３０により規制された範囲内で揺動できる。また、接続本体５１１は、貫通孔４３０が長孔であるので、比較的大きい範囲内で揺動可能になる。
【００３１】
本実施例において、図２に示すように、ホイール本体１１１の隣接する二つのベーン１１２の間には、それぞれ１つの第１の出水口Ｈ１が設けられる。レールディスク２３０には、その中心と移動レール３００との間に第２の出水口Ｈ２が貫通して設けられる。ベース部４００には、図５に示すように、第３の出水口Ｈ３が貫通して設けられる。水は、入水孔１２１を介して第１の出水口Ｈ１、第２の出水口Ｈ２及び第３の出水口Ｈ３の順に入り込み、その後爪式マッサージ装置から流出することができる。
【００３２】
爪式マッサージ装置は、図２及び図４に示すように、孔蓋６００をさらに備えることができる。前記孔蓋６００は、蓋体６１０及びシリンダ６２０を備え、前記シリンダ６２０は蓋体６１０の裏側の中央に設けられる。インペラ１１０のホイール本体１１１の中心には、軸孔１１４が貫通して設けられる。上蓋１２０の内縁には、リブが設けられる。レールディスク２３０の中心には、中空の接続スリーブ２３１が設けられている。ベース部４００の底板４１０の中心には、爪式マッサージ装置の内部に向いて凸設された接続ポスト４６０が設けられている。インペラ１１０はリブ上に支持され、シリンダ６２０はインペラ１１０の軸孔１１４を貫通し、蓋体６１０は上蓋１２０の頂部に係合して設けられ、接続ポスト４６０は接続スリーブ２３１に挿設される。
【００３３】
ここで、レールディスク２３０の接続スリーブ２３１の一側の外周には、図４に示すように、凹んでいる第１の段差部２３２が設けられている。第１の段差部２３２の内周は、径方向においてシリンダ６２０の端部に対して位置規制を行う。底板４１０における接続ポスト４６０に一側の外周には、第２の段差部４７０が設けられている。第２の段差部４７０の内周は、径方向において接続スリーブ２３１の端部に対して位置規制を行う。
【００３４】
したがって、本実施例に係る爪式マッサージ装置は、上記の構成によって１つの全体に組立されるので、構造がコンパクトで、接続が強固で、安定性が強い。
＜第２の実施例＞
本実施例と第１の実施例との主な相違点は、レールディスク２３０の形状が異なることである。
【００３５】
具体的に、レールディスク２３０は、図１３に示すように、カムの形状を有し、その外周には、曲面である移動レール３００が設けられている。移動レール３００には、第１の位置Ｐ１及び第２の位置Ｐ２が存在している。第１の位置Ｐ１と移動レール３００の中心との間の距離が最大距離であり、第２の位置Ｐ２と移動レール３００の中心との間の距離が最小距離である。本実施例において、第１の位置Ｐ１及び第２の位置Ｐ２の数は、いずれも４つである。
【００３６】
マッサージ機構の第１の接続ポスト５１２は、その外周がレールディスク２３０の外周に密着されている。第１の接続ポスト５１２は、レールディスク２３０が回転する時、移動レール３００のエッジにより移動されることによって、各接続部５１０を第２の接続ポスト５１３回りに同期に揺動させ、各マッサージ爪５２０を互いに近接又は離隔させる。マッサージ爪５２０は、第１の接続ポスト５１２が第１の位置Ｐ１に位置する場合に第１の限界位置に位置する。マッサージ爪５２０は、第１の接続ポスト５１２が第２の位置Ｐ２に位置する場合に第２の限界位置に位置する。
【００３７】
本実施例においては、引っ張りバネのような弾性部材２４０がさらに設けられている。前記弾性部材２４０は、ベース部４００の内周に設けられ、且つ、各第１の接続ポスト５１２に当接される。第１の接続ポスト５１２は、移動レール３００の回転につれて、徐々に第１の位置Ｐ１に近接し、弾性部材２４０を徐々に圧縮させる。弾性部材２４０は、各第１の接続ポスト５１２が第１の位置Ｐ１に位置する場合、ある程度圧縮されることによって、各第１の接続ポスト５１２に対して移動レール３００の中心に向く弾性復元力を蓄積する。レールディスクが回転し続けて第１の接続ポスト５１２が第１の位置Ｐ１から離れる場合、第１の接続ポスト５１２は、弾性部材２４０の弾性復元力により押し当てられることでレールディスク２３０の外周に密着される。したがって、弾性部材２４０を設けることによって、第１の接続ポスト５１２を常に移動レール３００の箇所に位置させ、第１の位置Ｐ１から離れても、レールディスク２３０の外周に密着される状態を維持できるので、マッサージ用爪５２０のつかみもみ動作が円滑に自由自在になる。
【００３８】
カムの形状はこれに限定されず、第１の実施例において説明した様々な形状の移動レールは、いずれも本実施例に適用されることが理解されるべきである。
【００３９】
また、第１の実施例において説明した伝達機構は、カムの回転を駆動させるように本実施例に適用されることができる。例えば、カムの一側には、伝達機構のギアと噛み合われるようにリングギアを設け、或いは、カムが直接にインペラに伝達接続される。
【００４０】
以上のように、本発明の爪式マッサージ装置は、移動レールの回転によってマッサージ機構を揺動させることで、各マッサージ爪を同時に内側又は外側に移動させ、最終的につかみもみ動作を実現する。本発明の爪式マッサージ装置は、従来の回転式マッサージに比べると、人の手のようなつかみもみマッサージの効果をシミュレートすることができ、マッサージの力が好適であり、血液循環を促進でき、ユーザが全身のリラックス感を味わうことができる。
【００４１】
いくつかの典型的な実施例を参照しながら本発明を説明したが、用いた用語は説明及び例示的なものであり、制限的なものではないことが理解されるべきである。本発明は、発明の精神又は実体から逸脱しない範囲内で様々な形態で具体的に実施できるので、上記の実施例が任意の前述の詳細に限定されず、添付する特許請求の範囲により限定される精神及び範囲内で広く解釈されるべきであることから、特許請求の範囲又はその均等範囲内に入る全ての変更及び修正は、いずれも添付の特許請求の範囲に含まれるべきであることが理解されるべきである。
【図１】
2019111325.tif 000003
【図２】
2019111325.tif 000004
【図３】
2019111325.tif 000005
【図４】
2019111325.tif 000006
【図５】
2019111325.tif 000007
【図６】
2019111325.tif 000008
【図７ａ】
2019111325.tif 000009
【図７ｂ】
2019111325.tif 000010
【図８ａ】
2019111325.tif 000011
【図８ｂ】
2019111325.tif 000012
【図９】
2019111325.tif 000013
【図１０】
2019111325.tif 000014
【図１１】
2019111325.tif 000015
【図１２】
2019111325.tif 000016
【図１３】
2019111325.tif 000017